(57)【要約】【課題】体型が異なる各ユーザーに対して、自然体に近い寝姿勢を与えることができるマットレスを、効率的に製造することが容易となる情報処理方法を提供する。【解決手段】それぞれ反発力に応じて異なる型番が割り当てられた第１マットレスユニットおよび第２マットレスユニットを用いて形成され、第１マットレスユニットが、寝姿勢をとる人体の一部を第１部位が最も沈み込んだ状態で支持し、第２マットレスユニットが、当該人体の他の一部を第２部位が最も沈み込んだ状態で支持するマットレスに関し、ユーザーが使用するマットレスを形成する上記各マットレスユニットの型番それぞれを、採用型番として決定する情報処理方法であって、寝姿勢をとるユーザーの第１部位と第２部位の鉛直方向位置の差を特定可能とする情報を取得するステップと、当該情報により特定される前記位置の差に基づいて、採用型番を決定するステップと、を含む方法とする。【選択図】図５
2019025193.tif 000002
【特許請求の範囲】
【請求項１】
それぞれ反発力に応じて異なる型番が割り当てられた第１マットレスユニットおよび第２マットレスユニットを用いて形成され、
第１マットレスユニットが、寝姿勢をとる人体の一部を第１部位が最も沈み込んだ状態で支持し、
第２マットレスユニットが、当該人体の他の一部を第２部位が最も沈み込んだ状態で支持するマットレスに関し、
ユーザーが使用するマットレスの形成に用いられる第１マットレスユニットおよび第２マットレスユニットの前記型番それぞれを、採用型番として決定する情報処理方法であって、
寝姿勢をとる前記ユーザーの第１部位と第２部位の鉛直方向位置の差を特定可能とする情報を含んだユーザー情報を取得するユーザー情報取得ステップと、
前記ユーザー情報により特定される前記鉛直方向位置の差に基づいて、前記採用型番を決定する決定ステップと、
を含むことを特徴とする情報処理方法。
【請求項２】
前記決定ステップは、
前記ユーザーが前記マットレスを使用する際の、第１マットレスユニットにおける第１部位の沈み込み深さの目標値である第１目標値と、第２マットレスユニットにおける第２部位の沈み込み深さの目標値である第２目標値とを、これらの目標値の差が前記鉛直方向位置の差と略一致するように設定し、
上記第１部位の沈み込み深さが第１目標値に最も近くなると見込まれる第１マットレスユニットの型番を、第１マットレスユニットについての採用型番に決定し、
上記第２部位の沈み込み深さが第２目標値に最も近くなると見込まれる第２マットレスユニットの型番を、第２マットレスユニットについての採用型番に決定することを特徴とする請求項１に記載の情報処理方法。
【請求項３】
前記ユーザー情報は、寝姿勢をとる前記ユーザーの第１部位の部分重量と第２部位の部分重量の情報を含み、
前記決定ステップは、
第１目標値と上記第１部位の部分重量とに基づいて、第１マットレスユニットについての採用型番を決定し、
第２目標値と上記第２部位の部分重量とに基づいて、第２マットレスユニットについての採用型番を決定することを特徴とする請求項２に記載の情報処理方法。
【請求項４】
前記寝姿勢は横臥位の寝姿勢であり、
第１部位は肩部であり、第２部位は臀部であることを特徴とする請求項１から請求項３の何れかに記載の情報処理方法。
【請求項５】
前記ユーザー情報は、前記ユーザーの肩幅と臀幅の情報を含み、
前記肩幅と前記臀幅の差の半分の値を、前記鉛直方向位置の差として算出することを特徴とする請求項４に記載の情報処理方法。
【請求項６】
前記マットレスは、寝姿勢をとる人体の脚部を支持する第３マットレスをも用いて形成されるものであって、第３マットレスユニットにも反発力に応じて異なる型番が割り当てられており、
前記ユーザーが使用するマットレスの形成に用いられる第１マットレスユニット、第２マットレスユニット、および第３マットレスユニットの型番それぞれを、採用型番として決定する請求項４または請求項５に記載の情報処理方法であって、
前記ユーザー情報は、寝姿勢をとる前記ユーザーの脚部の部分重量の情報を含み、
前記決定ステップは、
上記脚部の部分重量の情報に基づいて、第３マットレスユニットについての採用型番を決定することを特徴とする情報処理方法。
【請求項７】
通信回線を介して前記ユーザー情報を送信する送信ステップを含むことを特徴とする請求項１から請求項６の何れかに記載の情報処理方法。
【請求項８】
請求項１から請求項７の何れかに記載の情報処理方法により決定された前記採用型番のマットレスユニットを用いて、前記マットレスを形成することを特徴とするマットレスの製造方法。
【請求項９】
請求項１から請求項７の何れかに記載の情報処理方法を実行することを特徴とする情報処理システム。
【請求項１０】
それぞれ反発力に応じて異なる型番が割り当てられた第１マットレスユニットおよび第２マットレスユニットを用いて形成され、
第１マットレスユニットが、寝姿勢をとる人体の一部を第１部位が最も沈み込んだ状態で支持し、
第２マットレスユニットが、当該人体の他の一部を第２部位が最も沈み込んだ状態で支持するマットレスに関し、
ユーザーが使用するマットレスの形成に用いられる第１マットレスユニットおよび第２マットレスユニットの型番それぞれを、コンピュータに採用型番として決定させるプログラムであって、
寝姿勢をとる前記ユーザーの第１部位と第２部位の鉛直方向位置の差を特定する情報を含んだユーザー情報を取得するユーザー情報取得ステップと、
前記ユーザー情報により特定される前記鉛直方向位置の差に基づいて、前記採用型番を決定する決定ステップと、
を含む処理を前記コンピュータに実行させることを特徴とするプログラム。
【発明の詳細な説明】
【技術分野】
【０００１】
本発明は、マットレスに関する情報処理方法、マットレスの製造方法、情報処理システム、およびプログラムに関する。
【背景技術】
【０００２】
熱可塑性樹脂からなるフィラメントを３次元的に融着結合させて得られる結合体（フィラメント３次元結合体）をクッションとして用いた高反発マットレスが、近年注目されてきている。フィラメント３次元結合体を用いたマットレスは、反発力が高いことから寝返りがしやすい上、通気性と体圧分散性に優れているため、蒸れにくく柔らかな感触の寝心地が得られる。このように当該マットレスは、快適な睡眠のために必要不可欠な特長を有している。
【０００３】
このようなフィラメント３次元結合体の製造方法として、例えば、特許文献１および特許文献２に開示された方法が知られている。当該方法によれば、水平に配置された複数のノズルから溶融状態の熱可塑性樹脂を鉛直方向下向きに押し出した後、直径が１mm前後の溶融フィラメントを冷却水中に落下させて、水の浮力でループを形成させると同時に、ループ形成した複数の溶融フィラメントどうしを３次元的に融着結合させてフィラメント３次元結合体が製造される。
【先行技術文献】
【特許文献】
【０００４】
【特許文献１】特許第４９６６４３８号公報
【特許文献２】特開２０１０−１５４９６５号公報
【発明の概要】
【発明が解決しようとする課題】
【０００５】
しかしながら、体圧分散性に優れたフィラメント３次元結合体を用いたマットレスを用いても、体型等はユーザーごとに異なるため、どのような仕様のマットレスが最適であるかはユーザーによって異なることになる。
【０００６】
例えば、肩幅の広いユーザーが横臥位の寝姿勢をとった場合には、マットレスと接する肩に肩部の体重が集中して圧力が高くなり、体圧分散性が損なわれ易い。一方、フィラメント３次元結合体の反発力を小さくして、体がマットレスに沈み込み易くなるようにすれば、体圧分散性が改善されるものの、臀部が沈み込んで自然体（直立姿勢）の寝姿勢を保つことができず、寝返りがしにくくなって快適な睡眠が得られなくなる。
【０００７】
本発明は、肩幅などの体型が異なる各ユーザーに対して、寝姿勢において体圧分散性を損なうことなく自然体に近い寝姿勢を与えることができるマットレスを、効率的に製造することが容易となる情報処理方法、マットレスの製造方法、ならびに、当該情報処理方法に関する情報処理システムおよびプログラムの提供を目的とする。
【課題を解決するための手段】
【０００８】
本発明に係る情報処理方法は、それぞれ反発力に応じて異なる型番が割り当てられた第１マットレスユニットおよび第２マットレスユニットを用いて形成され、第１マットレスユニットが、寝姿勢をとる人体の一部を第１部位が最も沈み込んだ状態で支持し、第２マットレスユニットが、当該人体の他の一部を第２部位が最も沈み込んだ状態で支持するマットレスに関し、ユーザーが使用するマットレスの形成に用いられる第１マットレスユニットおよび第２マットレスユニットの前記型番それぞれを、採用型番として決定する情報処理方法であって、寝姿勢をとる前記ユーザーの第１部位と第２部位の鉛直方向位置の差を特定可能とする情報を含んだユーザー情報を取得するユーザー情報取得ステップと、前記ユーザー情報により特定される前記鉛直方向位置の差に基づいて、前記採用型番を決定する決定ステップと、を含む方法とする。
【０００９】
本方法によれば、肩幅などの体型が異なる各ユーザーに対して、寝姿勢において体圧分散性を損なうことなく自然体に近い寝姿勢を与えることができるマットレスを、効率的に製造することが容易となる。なお本発明における「型番」としては、文字、図形、記号、或いはこれらの組合わせ等が採用可能であり、その具体的形態は特に限定されない。
【００１０】
また上記方法としてより具体的には、前記決定ステップは、前記ユーザーが前記マットレスを使用する際の、第１マットレスユニットにおける第１部位の沈み込み深さの目標値である第１目標値と、第２マットレスユニットにおける第２部位の沈み込み深さの目標値である第２目標値とを、これらの目標値の差が前記鉛直方向位置の差と略一致するように設定し、上記第１部位の沈み込み深さが第１目標値に最も近くなると見込まれる第１マットレスユニットの型番を、第１マットレスユニットについての採用型番に決定し、上記第２部位の沈み込み深さが第２目標値に最も近くなると見込まれる第２マットレスユニットの型番を、第２マットレスユニットについての採用型番に決定する方法としてもよい。本方法によれば、寝姿勢において体圧分散性を損なわないように上記の各目標値を設定しつつ、寝姿勢が極力水平となるようにして自然体に近い寝姿勢を与えることが可能となる。
【００１１】
また上記方法としてより具体的には、前記ユーザー情報は、寝姿勢をとる前記ユーザーの第１部位の部分重量と第２部位の部分重量の情報を含み、前記決定ステップは、第１目標値と上記第１部位の部分重量とに基づいて、第１マットレスユニットについての採用型番を決定し、第２目標値と上記第２部位の部分重量とに基づいて、第２マットレスユニットについての採用型番を決定する方法としてもよい。
【００１２】
また上記方法としてより具体的には、前記寝姿勢は横臥位の寝姿勢であり、第１部位は肩部であり、第２部位は臀部である方法としてもよい。また当該方法としてより具体的には、前記ユーザー情報は、前記ユーザーの肩幅と臀幅の情報を含み、前記肩幅と前記臀幅の差の半分の値を、前記鉛直方向位置の差として算出する方法としてもよい。
【００１３】
また、前記マットレスは、寝姿勢をとる人体の脚部を支持する第３マットレスをも用いて形成されるものであって、第３マットレスユニットにも反発力に応じて異なる型番が割り当てられており、前記ユーザーが使用するマットレスの形成に用いられる第１マットレスユニット、第２マットレスユニット、および第３マットレスユニットの型番それぞれを、採用型番として決定する上記方法において、前記ユーザー情報は、寝姿勢をとる前記ユーザーの脚部の部分重量の情報を含み、前記決定ステップは、上記脚部の部分重量の情報に基づいて、第３マットレスユニットについての採用型番を決定する方法としてもよい。
【００１４】
また上記方法としてより具体的には、通信回線を介して前記ユーザー情報を送信する送信ステップを含む方法としてもよい。本方法によれば、例えば、ユーザー情報取得ステップを実行する装置と決定ステップを実行する装置とが離れた場所にあっても、これら装置間でのユーザー情報の送信により、決定ステップを適切に実行することが可能となる。
【００１５】
また本発明に係るマットレスの製造方法は、上記情報処理方法により決定された前記採用型番のマットレスユニットを用いて、前記マットレスを形成する方法とする。また本発明に係る情報処理システムは、上記情報処理方法を実行するシステムとする。
【００１６】
また本発明に係るプログラムは、それぞれ反発力に応じて異なる型番が割り当てられた第１マットレスユニットおよび第２マットレスユニットを用いて形成され、第１マットレスユニットが寝姿勢をとる人体の第１部位を支持し、第２マットレスユニットが当該人体の第２部位を支持するマットレスに関し、ユーザーが使用するマットレスの形成に用いられる第１マットレスユニットおよび第２マットレスユニットの型番それぞれを、コンピュータに採用型番として決定させるプログラムであって、寝姿勢をとる前記ユーザーの第１部位と第２部位の鉛直方向位置の差を特定する情報を含んだユーザー情報を取得するユーザー情報取得ステップと、前記ユーザー情報により特定される前記鉛直方向位置の差に基づいて、前記採用型番を決定する決定ステップと、を含む処理を前記コンピュータに実行させるプログラムとする。
【発明の効果】
【００１７】
本発明に係る情報処理方法によれば、肩幅などの体型が異なる各ユーザーに対して、寝姿勢において体圧分散性を損なうことなく自然体に近い寝姿勢を与えることができるマットレスを、効率的に製造することが容易となる。
【図面の簡単な説明】
【００１８】
【図１】本実施形態に係るマットレス１の概略的な斜視図である。
【図２】本実施形態に係るマットレスカバー２の概略的な分解斜視図である。
【図３】本実施形態に係るマットレスユニット３ａの分解斜視図である。
【図４Ａ】本実施形態の情報処理システムの構成に係るブロック図である。
【図４Ｂ】本実施形態のユーザー情報入力装置の構成に係るブロック図である。
【図４Ｃ】本実施形態のマットレス情報処理装置の構成に係るブロック図である。
【図５】マットレス１の製造方法に関するフローチャートである。
【図６】頭幅Ｄｈ、肩幅Ｄｓおよび臀幅Ｄｂに関する説明図である。
【図７】肩部重量Ｗｓ等の測定に関する説明図である。
【図８】マットレス１の使用状態に関する説明図である。
【図９Ａ】第１採用型番αＵｓの決定に関するパターンの説明図である。
【図９Ｂ】第２採用型番αＵｂの決定に関するパターンの説明図である。
【図９Ｃ】第３採用型番αＵｆの決定に関するパターンの説明図である。
【図１０】各マットレスユニットの型番に関する説明図（表）である。
【発明を実施するための形態】
【００１９】
本発明の実施形態について図面を参照しながら以下に説明する。図１は、本実施形態に係るマットレス１の概略的な斜視図である。また図２は、マットレスカバー２を上面側カバー２ａと底面側カバー２ｂに分解した場合の概略的な分解斜視図である。なお、マットレス１に関する上下、左右、および前後の各方向は、図１等に示すとおりである。また図１では、マットレス１の内部構成を理解容易とするため、第１〜第３の各マットレスユニット３ａ〜３ｃの概略的な位置を破線で示している。
【００２０】
マットレス１は、その外面全体を覆うマットレスカバー２と、その中に収容されるマットレス用クッション（第１〜第３の各マットレスユニット３ａ〜３ｃにより構成される）を含む。マットレス１は全体的に見て、前後方向（長さ方向）と左右方向と上下方向（厚み方向）の各辺を有する直方体の形状となっており、左右方向寸法は前後方向寸法よりやや小さく、上下方向寸法は左右方向寸法より十分に小さい。
【００２１】
第１マットレスユニット３ａ、第２マットレスユニット３ｂ、および第３マットレスユニット３ｃは、それぞれ厚み（上下方向寸法）と幅（左右方向寸法）が同等であり、前後方向へ順に並べて配置される。マットレス１は通常、水平な床やベッド等の上に置かれ、上側に使用者が横たわる形態で使用される。このように使用されるとき、マットレス１の上下方向は鉛直方向に一致する。マットレス１は、上記のとおり前後方向（長さ方向）のサイズが長めに設定されており、前後方向がユーザーの身長方向と略一致する形態で好適に使用可能である。
【００２２】
図１に示す状態のマットレスカバー２は、全体的に見て、内部にスペースを有する略直方体の形状となっており、周面部には、ファスナー４が設けられている。また図２に示すように、マットレスカバー２はファスナー４を開くことにより、上面側カバー２ａと底面側カバー２ｂに分離可能である。この状態で内部にマットレス用クッション３を入れておき、各カバー２ａ、２ｂをファスナー４で結合することにより、マットレスカバー２はマットレス用クッション３を完全に収容することが可能である。なお、マットレスカバー２の生地としては、綿、絹、麻、ナイロン製の布、或いはダブルラッセルやメッシュ生地などが使用できる。
【００２３】
ファスナー４は、マットレスカバー２の他の部分に比べて伸び難い構成となっており、マットレスカバー２が長さ方向（身長方向）に伸びることを防止する役割（伸張防止部材としての役割）をも果たす。ファスナー４は、上下方向位置（高さ）を略一定として、上方から見て周面部を１周するように設けられている。
【００２４】
本実施形態では、伸張防止部材として織物テープを用いたファスナー４が使用されており、このファスナー４は、上面側カバー２ａと底面側カバー２ｂの結合箇所全体に及ぶように配置されている。ファスナー４を開けることにより、周面部において、上面側カバー２ａと底面側カバー２ｂを完全に分離できるようになっている。伸張防止部材としても機能するファスナー４は、マットレスカバー２の長さ方向の伸びを防止し、マットレスカバー２が伸びることによる第１〜第３マットレスユニット３ａ〜３ｃどうしの隙間の広がりを防止する。
【００２５】
図３は、マットレス１内に収容されるマットレスユニット３ａの分解斜視図である。第１マットレスユニット３ａは、略直方体であり、その外面全体を覆うメッシュ状のインナーカバー５ａと、その中に収容されるフィラメント３次元結合体６ａを含む。本実施形態において、インナーカバー５ａには、フィラメント３次元結合体６ａを脱着可能とするための開閉部材として、ファスナー７ａが周面部に設けられている。なお、第２マットレスユニット３ｂおよび第３マットレスユニット３ｃについては、上述した基本的な構成は第１マットレスユニット３ａと同等であるため、ここでは詳細な説明を省略する。
【００２６】
フィラメント３次元結合体６ａは、熱可塑性樹脂の溶融フィラメントどうしを３次元的に融着結合させることによって得られる弾性部材である。フィラメント３次元結合体６ａの製造過程では、水平に配置された複数のノズルから、溶融状態の熱可塑性樹脂が鉛直方向下向きに押し出される。これにより断面の直径が１mm前後である溶融フィラメントを冷却水中に落下させ、水の浮力でループを形成させると同時に、ループ形成した複数の溶融フィラメントどうしを３次元的に融着結合させることによって、フィラメント３次元結合体６ａが得られる。フィラメント３次元結合体の製造方法としては、特許文献１に開示された方法などが採用され得る。
【００２７】
フィラメント３次元結合体６ａの厚み（上下方向寸法）は、１０〜２５cmの範囲内であることが好ましい。またフィラメント３次元結合体６ａにおいて、フィラメント径（断面の直径）は０．５〜２mmの範囲内であることが好ましく、かさ密度は３０〜１５０kg／m3の範囲内であることが好ましい。厚み、フィラメント径、およびかさ密度が上記の範囲内に収められることにより、フィラメント３次元結合体６ａの水切り性や乾燥性が損なわれることなく、比較的良好な体圧分散性が得られる。
【００２８】
なお、本実施形態においては、フィラメント３次元結合体６ａは、上下方向（鉛直方向）に連続的に形成されたフィラメント３次元結合体を用いているが、上下方向（鉛直方向）あるいは水平方向（身長方向／肩幅方向）に分割可能な複数のフィラメント３次元結合体を用いてもよい。フィラメント３次元結合体６ａの厚みが１０cm未満の場合、横臥位において体圧分散性が得られにくくなり、逆に、当該厚みが２５cmを超えると、フィラメント３次元結合体６ａが重くなり搬送しにくくなる。
【００２９】
図８に示すように、マットレス１は、頭を前方に向けて寝姿勢をとる人体を鉛直上向きに支持する。第１マットレスユニット３ａは、横臥位の寝姿勢をとる人体の肩部を支持する位置に配置され、第２マットレスユニット３ｂは、横臥位の寝姿勢をとる人体の臀部を支持する位置に配置され、第３マットレスユニット３ｃは、横臥位の寝姿勢をとる人体の脚部を支持する位置に配置されている。
【００３０】
なお図８に示す位置Ｐ０は、マットレス１（各マットレスユニット３ａ〜３ｃ）が人体を支持する前の初期状態における、マットレス１の上側表面の鉛直方向位置である。また図８に示す位置Ｐ１は、マットレス１が横臥位の寝姿勢をとる人体を支持する状況における、肩部の下端の鉛直方向位置である。第１マットレスユニット３ａは、横臥位の寝姿勢をとる人体の一部（第１マットレスユニット３ａに乗っている部分）を、位置Ｐ１の部位が最も沈み込んだ状態で支持することになる。位置Ｐ０と位置Ｐ１の間の鉛直方向距離は、第１マットレスユニット３ａにおける肩部の沈み込み深さ（肩部における最も深く沈み込んだ箇所の深さであり、以下、「肩部沈み込み深さＤＰ１」と称することがある）に相当する。
【００３１】
また図８に示す位置Ｐ２は、マットレス１が横臥位の寝姿勢をとる人体を支持する状況における、臀部の下端の鉛直方向位置である。第２マットレスユニット３ｂは、横臥位の寝姿勢をとる人体の一部（第２マットレスユニット３ｂに乗っている部分）を、位置Ｐ２の部位が最も沈み込んだ状態で支持することになる。位置Ｐ０と位置Ｐ２の間の鉛直方向距離は、第２マットレスユニット３ｂにおける臀部の沈み込み深さ（臀部における最も深く沈み込んだ箇所の深さであり、以下、「臀部沈み込み深さＤＰ２」と称することがある）に相当する。なお位置Ｐ１と位置Ｐ２の間の鉛直方向距離は、横臥位の寝姿勢をとる人体の肩部と臀部の鉛直方向位置の差に相当する。
【００３２】
また図８に示す位置Ｐ３は、マットレス１が横臥位の寝姿勢をとる人体を支持する状況における、脚部（ふくらはぎ近傍）の下端の鉛直方向位置である。第３マットレスユニット３ｃは、横臥位の寝姿勢をとる人体の一部（第３マットレスユニット３ｃに乗っている部分）を、位置Ｐ３の部位が最も沈み込んだ状態で支持することになる。位置Ｐ０と位置Ｐ３の間の鉛直方向距離は、第３マットレスユニット３ｃにおける脚部の沈み込み深さ（脚部における最も深く沈み込んだ箇所の深さであり、以下、「脚部沈み込み深さＤＰ３」と称することがある）に相当する。
【００３３】
またマットレスユニット３ａ〜３ｃそれぞれは、反発力に応じて異なる型番が割り当てられており（図１０を参照）、任意の型番のものを用いてマットレス１を形成することが可能である。第１マットレスユニット３ａは、型番の違いによって反発力特性は異なるが、型番が違っても形状や寸法は同等である。この点は、第１および第２のマットレスユニット３ｂ、３ｃにおいても同様である。形状や寸法が同等でありながら反発力特性の異なるマットレスユニットは、例えばフィラメント密度やフィラメント径など、フィラメント３次元結合体６ａの反発力に関わる特性を調節することにより得られる。また詳しくは後述するが、ユーザーの体型等を考慮して各マットレスユニット３ａ〜３ｃの型番の中から採用型番が決定され、当該採用型番の各マットレスユニット３ａ〜３ｃを用いてそのユーザーに好適なマットレス１が製造される。
【００３４】
次に、マットレス１の製造に関する情報処理を行う情報処理システムについて、図４Ａ〜図４Ｃを参照しながら説明する。
【００３５】
図４Ａは、当該情報処理システムの全体的な概略構成を示すブロック図である。また図４Ｂは、ユーザー情報入力装置１０の概略構成を示すブロック図であり、図４Ｃは、マットレス情報処理装置２０の概略構成を示すブロック図である。当該情報処理システムは、ユーザー情報入力装置１０およびマットレス情報処理装置２０を有しており、これらはインターネット回線ＩＮＴ（通信回線の一形態）を介して情報通信が可能である。
【００３６】
ユーザー情報入力装置１０は、ユーザー情報ＵＦ（主に、マットレス１を使用するユーザーに関する情報）の入力を受付けて、取得したユーザー情報ＵＦをマットレス情報処理装置２０へ送信する役割を果たす。ユーザー情報入力装置１０は複数個が設けられても良く、ユーザーが来店し易い各地の店舗（例えばマットレスの販売店）などに設置されることが望ましい。
【００３７】
マットレス情報処理装置２０は、ユーザー情報入力装置１０から受信したユーザー情報ＵＦを用いて、マットレス１の製造に役立つ情報を提供する役割を果たす。マットレス情報処理装置２０は複数個が設けられても良く、マットレス１を製造する各地の工場や作業場などに設置されることが望ましい。
【００３８】
ユーザー情報入力装置１０は、ユーザー情報送受信部１１、タッチパネル１２、ＣＰＵ（中央演算処理装置）１３、ＲＡＭ（ランダムアクセスメモリ）１４、ＲＯＭ（リードオンリーメモリ）１５、およびハードディスク（プログラム記憶部）１６を有する。またハードディスク１６には、ユーザー体型情報取得プログラム１７と、ユーザーＩＤ取得プログラム１８とが格納されている。
【００３９】
ユーザー情報送受信部１１は、ユーザー情報をマットレス情報処理装置２０へ送信する処理（図５のＳ４を参照）等を実行する。タッチパネル１２は、タッチ操作による各種情報の入力受付に用いられる。中央演算処理装置（ＣＰＵ）１３は、情報を記憶する各部１４〜１６と連携し、各種処理を実行する。
【００４０】
ユーザー体型情報取得プログラム１７には、頭幅Ｄｈの入力に関わる頭幅入力部５１、肩幅Ｄｓの入力に関わる肩幅入力部５２、臀幅Ｄｂの入力に関わる臀幅入力部５３、肩部重量Ｗｓの入力に関わる肩部重量入力部５４、臀部重量Ｗｂの入力に関わる臀部重量入力部５５、および脚部重量Ｗｆの入力に関わる脚部重量入力部５６、が含まれる。またユーザーＩＤ取得プログラム１８には、ユーザーＩＤ情報の入力に関わるユーザーＩＤ入力部６１が含まれる。これらのプログラムは、ＣＰＵ１３によって適宜実行され、ユーザー情報入力装置１０による各処理が実現される。
【００４１】
マットレス情報処理装置２０は、ユーザー情報送受信部２１、ＣＰＵ（中央演算処理装置）２２、ＲＡＭ（ランダムアクセスメモリ）２３、ＲＯＭ（リードオンリーメモリ）２４、ハードディスク（プログラム記憶部）２５、ディスプレイ（表示装置）２６、およびプリンター（タグ印刷機）２７を有する。またハードディスク２５には、ユーザー体型情報処理プログラム３１、採用型番決定プログラム３２、およびマットレス組立指示プログラム３３が格納されている。
【００４２】
ユーザー情報送受信部２１は、ユーザー情報をユーザー情報入力装置１０から受信する処理（図５のＳ５を参照）等を実行する。ＣＰＵ２２は、情報を記憶する各部２３〜２５と連携し、各種処理を実行する。
【００４３】
ユーザー体型情報処理プログラム３１には、後述する肩部臀部間突出距離Ｖｓｂの算出に関わる肩部臀部間突出距離算出部７１、後述する目標臀部沈み込み深さＴｐの算出に関わる目標臀部沈み込み深さ算出部７２、後述する目標脚部沈み込み深さＴｆの算出に関わる目標脚部沈み込み深さ算出部７３、後述する目標肩部沈み込み深さＴｓの算出に関わる目標肩部沈み込み深さ算出部７４、後述する肩部側頭部間突出距離Ｖｓｈの算出に関わる肩部側頭部間突出距離算出部７５、および後述する横臥位用枕高さＰｈの算出に関わる横臥位用枕高さ算出部７６が含まれる。
【００４４】
採用型番決定プログラム３２には、後述する第１採用型番αＵｓの決定に関わる第１採用型番決定部８１、後述する第２採用型番αＵｂの決定に関わる第２採用型番決定部８２、および後述する第３採用型番αＵｆの決定に関わる第３採用型番決定部８３が含まれる。
【００４５】
マットレス組立指示プログラム３３には、第１〜第３採用型番の指示（表示）に関わるマットレスユニット配置指示部９１、およびタグの印刷の指示に関わるタグ印刷指示部９２が含まれる。これらのプログラムは、ＣＰＵ２２によって適宜実行され、マットレス情報処理装置２０による各処理が実現される。
【００４６】
次に、本実施形態の情報処理システムを利用したマットレス１の製造方法について、図５に示すフローチャートを参照しながら以下に説明する。
【００４７】
まずステップＳ１の工程として、ユーザーの頭幅Ｄｈ、肩幅Ｄｓ、および臀幅Ｄｂを測定し、これにより得られた測定値をユーザー情報入力装置１０へ入力する工程が行われる。当該測定および入力の作業は、店舗の作業員等が行っても良く、ユーザーが行っても良い。本工程が行われる際、ユーザー情報入力装置１０は、当該測定値の入力を受付ける状態となっており、例えばタッチパネル１２を利用して当該測定値の入力が可能である。なお、頭幅Ｄｈ、肩幅Ｄｓ、および臀幅Ｄｂの測定手法については改めて説明する。また、当該測定および入力の少なくとも一方が、自動化されていても良い。
【００４８】
次にステップＳ２の工程として、例えば図７に示すような４つの体重計を用いてユーザーの肩部重量Ｗｓ、臀部重量Ｗｂ、および脚部重量Ｗｆを測定し、これにより得られた測定値をユーザー情報入力装置１０へ入力する工程が行われる。当該測定および入力の作業は、店舗の作業員等が行っても良く、ユーザーが行っても良い。本工程が行われる際、ユーザー情報入力装置１０は、当該測定値の入力を受付ける状態となっており、例えばタッチパネル１２を利用して当該測定値の入力が可能である。また、当該測定および入力の少なくとも一方が、自動化されていても良い。
【００４９】
次にステップＳ３の工程として、ユーザーの名前や住所などの情報であるユーザーＩＤ情報（ユーザーを識別できる情報）を、ユーザー情報入力装置１０へ入力する工程が行われる。当該入力の作業は、ユーザーが行っても良く、店舗の作業員等が代行して行っても良い。本工程が行われる際、ユーザー情報入力装置１０は、当該情報の入力を受付ける状態となっており、例えばタッチパネル１２を利用して当該情報の入力が可能である。
【００５０】
次にステップＳ４の工程として、ユーザー情報入力装置１０は、インターネット回線ＩＮＴを通じて、マットレス情報処理装置２０へユーザー情報ＵＦを送信する工程が行われる。このユーザー情報ＵＦには、表１に示す各測定パラメータの情報、およびユーザーＩＤ情報が含まれる。
【表１】
2019025193.tif 000003
【００５１】
次にステップＳ５の工程として、マットレス情報処理装置２０によって、ユーザー情報入力装置１０から送信されたユーザー情報ＵＦを受信する工程が行われる。次にステップＳ６の工程として、マットレス情報処理装置２０によって、臀部重量Ｗｂから目標臀部沈み込み深さＴｂを算出する工程が行われる。
【００５２】
ここで、目標臀部沈み込み深さＴｂは、臀部沈み込み深さＤＰ１の目標値であり、第２マットレスユニットの下方への最大変形量の目標値に相当する。目標臀部沈み込み深さＴｂが大きい程、臀部とマットレスの接触面積が大きくなり、体圧分散性が高めることができる反面、臀部が沈み込みやすくなるので、体型の大きさに応じて変更することが望ましい。体型が小さく臀部重量Ｗｂの小さなユーザーに対しては、目標臀部沈み込み深さＴｂを小さく設定し、体型が大きく臀部重量Ｗｂの大きなユーザーに対しては、目標臀部沈み込み深さＴｂを大きく設定するのが望ましい。
【００５３】
本実施形態においては、目標臀部沈み込み深さＴｂは、簡単な一次式からなる下記の第１式を用いて臀部重量Ｗｂから一義的に算出する。第１式におけるＫｂは、所定の係数（本実施形態では一例として、0.05の固定値）である。なお第１式においては、ユーザーの好み（例えば、硬めと軟らかめの何れを好むか）や、幅広いユーザー体型に適合させるために、係数Ｋｂを変更してもよい。また、本発明の主旨を逸脱しない範囲において、第１式とは異なる式を用いて、目標臀部沈み込み深さＴｂを算出するようにしてもよい。
Ｔｂ＝Ｗｂ×Ｋｂ    ・・・（第１式）
【００５４】
次にステップＳ７の工程として、マットレス情報処理装置２０によって、肩幅Ｄｓと臀幅Ｄｂから肩部臀部間突出距離Ｖｓｂを算出する工程が行われる。ここで、肩部臀部間突出距離Ｖｓｂは、肩部沈み込み深さＤＰ１と臀部沈み込み深さＤＰ２との鉛直方向の差分に相当する。本実施形態においては、肩部臀部間突出距離Ｖｓｂは、下記の第２式を用いて肩幅Ｄｓと臀幅Ｄｂから算出する。なおこの第２式によれば、肩幅Ｄｓと臀幅Ｄｂの差の半分の値が肩部臀部間突出距離Ｖｓｂとして算出されるようなっており、肩幅Ｄｓと臀幅Ｄｂの情報を用いて肩部臀部間突出距離Ｖｓｂを容易に算出することが可能である。
Ｖｓｂ＝（Ｄｓ−Ｄｂ）／２    ・・・（第２式）
【００５５】
次にステップＳ８の工程として、マットレス情報処理装置２０によって、目標臀部沈み込み深さＴｂと肩部臀部間突出距離Ｖｓｂから目標肩部沈み込み深さＴｓを算出する工程が行われる。ここで、目標肩部沈み込み深さＴｓは、肩部沈み込み深さＤＰ１の目標値であり、第１マットレスユニット３ａの下方への最大変形量の目標値に相当する。本実施形態においては、目標肩部沈み込み深さＴｓは、下記の第３式を用いて目標臀部沈み込み深さＴｂと肩部臀部間突出距離Ｖｓｂから算出している。なお第１式〜第３式によれば、目標肩部沈み込み深さＴｓと目標臀部沈み込み深さＴｂは、これらの目標値の差（Ｔｓ−Ｔｂ）が肩部臀部間突出距離Ｖｓｂと一致するように設定されることになる。
Ｔｓ＝Ｔｂ＋Ｖｓｂ    ・・・（第３式）
【００５６】
次にステップＳ９の工程として、マットレス情報処理装置２０によって、脚部重量Ｗｆから目標脚部沈み込み深さＴｆを算出する工程が行われる。ここで、目標脚部沈み込み深さＴｆは、脚部沈み込み深さＤＰ３の目標値であり、第３マットレスユニット３ｃの下方への最大変形量の目標値に相当する。
【００５７】
目標脚部沈み込み深さＴｆが大きい程、脚部とマットレスの接触面積が大きくなり、体圧分散性が高めることができる反面、脚部が沈み込みやすくなる。そのため目標脚部沈み込み深さＴｆは、体型の大きさに応じて変更することが望ましい。体型が小さく脚部重量Ｗｆの小さなユーザーに対しては、目標脚部沈み込み深さＴｆを小さく設定し、体型が大きく脚部重量Ｗｆの大きなユーザーに対しては、目標脚部沈み込み深さＴｆを大きく設定するのが望ましい。
【００５８】
本実施形態においては、目標脚部沈み込み深さＴｆは、簡単な一次式からなる下記の第４式を用いて脚部重量Ｗｆから一義的に算出する。第４式におけるＫｆは、所定の係数（本実施形態では一例として、0.05の固定値）である。なお第４式においては、ユーザーの好み（例えば、硬めと軟らかめの何れを好むか）や、幅広いユーザー体型に適合させるために、係数Ｋｆを変更してもよい。また、本発明の主旨を逸脱しない範囲において、第４式とは異なる式を用いて、目標脚部沈み込み深さＴｆを算出するようにしてもよい。
Ｔｆ＝Ｗｆ×Ｋｆ    ・・・（第４式）
【００５９】
次にステップＳ１０の工程として、マットレス情報処理装置２０によって、肩部重量Ｗｓと目標肩部沈み込み深さＴｓから、第１マットレスユニット３ａの採用型番である第１採用型番αＵｓを決定する工程が行われる。第１採用型番αＵｓは、ユーザーが横臥位の寝姿勢をとる際に、第１マットレスユニット３ａの肩部の沈み込み深さが目標肩部沈み込み深さＴｓに出来るだけ近くなるように決定される。
【００６０】
本実施形態においては、反発力特性が異なる１０種類の第１マットレスユニット３ａが用意されており、それぞれに異なる型番が割り当てられている。より具体的には図１０に示すように、第１マットレスユニット３ａの型番としてＵｓ１〜Ｕｓ１０の１０種類が設けられており、型番Ｕｓｘ（ｘは１〜１０の整数）のｘの値が大きいほど、その第１マットレスユニット３ａは反発力が高くなっている。最も反発力の低い第１マットレスユニット３ａには型番Ｕｓ１が割り当てられ、最も反発力の高い第１マットレスユニット３ａには型番Ｕｓ１０が割り当てられている。
【００６１】
また図９Ａは、肩部重量Ｗｓと目標肩部沈み込み深さＴｓの各値から、どの型番が第１採用型番αＵｓとして決定されるかを示すパターンを表している。このパターンによれば、各型番Ｕｓ１〜Ｕｓ１０のうち、肩部沈み込み深さＤＰ１が目標肩部沈み込み深さＴｓに最も近くなるもの（つまり、ユーザーにとって最適なもの）が、第１採用型番αＵｓとして決定されるようになっている。
【００６２】
例えば当該パターンによれば、肩部重量Ｗｓが２１kgであって、目標肩部沈み込み深さＴｓが５．２cmである場合は、図９Ａに示すように、型番Ｕｓ４が第１採用型番αＵｓとして決定されることになる。そして、この第１採用型番αＵｓ（型番Ｕｓ４）の第１マットレスユニット３ａを用いたマットレス１によれば、肩部重量Ｗｓが２１kgであるユーザーに使用される場合に、肩部沈み込み深さＤＰ１を５．２cm（当該ユーザーに応じた目標肩部沈み込み深さＴｓ）に出来るだけ近くすることが可能である。
【００６３】
図９Ａに示すパターンによれば、肩部重量Ｗｓの値が同じであれば、目標肩部沈み込み深さＴｓの値が大きいほど、反発力の小さい（沈み込み易くなる）型番が第１採用型番αＵｓとして決定される。また、目標肩部沈み込み深さＴｓの値が同じであれば、肩部重量Ｗｓの値が大きいほど、反発力の大きい（沈み込み難くなる）型番が第１採用型番αＵｓとして決定される。
【００６４】
図９Ａに示すパターンは、各型番の第１マットレスユニット３ａに荷重子を乗せて、荷重子の重さ（肩部重量Ｗｓに対応する）と沈み込み深さの関係を予め実験により調べ、この調べた結果に基づいて作成されている。荷重子の水平断面積によって荷重子の沈み込み深さが変化するので、当該実験に用いた荷重子は、縦１０cmかつ横２０cmの長方形底面を有する直方体の荷重子に統一している。なお、幅広いユーザー体型に適合させるために、荷重子として、曲面形状を有する荷重子を用いてもよく、荷重子の重さに合わせて底面の大きさを変更してもよい。
【００６５】
次にステップＳ１１の工程として、マットレス情報処理装置２０によって、臀部重量Ｗｂと目標臀部沈み込み深さＴｂから、第２マットレスユニット３ｂの採用型番である第２採用型番αＵｂを決定する工程が行われる。第２採用型番αＵｂは、臀部沈み込み深さＤＰ２が目標臀部沈み込み深さＴｂに出来るだけ近くなるように決定される。
【００６６】
本実施形態においては、反発力特性が異なる１０種類の第２マットレスユニット３ｂが用意されており、それぞれに異なる型番が割り当てられている。より具体的には図１０に示すように、第２マットレスユニット３ｂの型番としてＵｂ１〜Ｕｂ１０の１０種類が設けられており、型番Ｕｂｘ（ｘは１〜１０の整数）のｘの値が大きいほど、その第２マットレスユニット３ｂは反発力が高くなっている。最も反発力の低い第２マットレスユニット３ｂには型番Ｕｂ１が割り当てられ、最も反発力の高い第２マットレスユニット３ｂには型番Ｕｂ１０が割り当てられている。
【００６７】
また図９Ｂは、臀部重量Ｗｂと目標臀部沈み込み深さＴｂの各値から、どの型番が第２採用型番αＵｂとして決定されるかを示すパターンを表している。このパターンによれば、各型番Ｕｂ１〜Ｕｂ１０のうち、臀部沈み込み深さＤＰ２が目標臀部沈み込み深さＴｂに最も近くなるもの（つまり、ユーザーにとって最適なもの）が、第２採用型番αＵｂとして決定されるようになっている。
【００６８】
例えば当該パターンによれば、臀部重量Ｗｂが２４kgであって、目標臀部沈み込み深さＴｂが１．２cmである場合は、図９Ｂに示すように、型番Ｕｂ６が第２採用型番αＵｂとして決定されることになる。そして、この第２採用型番αＵｂ（型番Ｕｂ６）の第２マットレスユニット３ｂを用いたマットレス１によれば、臀部重量Ｗｂが２４kgであるユーザーに使用される場合に、臀部沈み込み深さＤＰ２を１．２cm（当該ユーザーに応じた目標臀部沈み込み深さＴｂ）に出来るだけ近くすることが可能である。
【００６９】
図９Ｂに示すパターンは、各型番の第２マットレスユニット３ｂに荷重子を乗せて、荷重子の重さ（臀部重量Ｗｂに対応する）と沈み込み深さの関係を予め実験により調べ、この調べた結果に基づいて作成されている。荷重子の水平断面積によって荷重子の沈み込み深さが変化するので、当該実験に用いた荷重子は、縦１５cmかつ横２５cmの長方形底面を有する直方体の荷重子に統一している。なお、幅広いユーザー体型に適合させるために、荷重子として、曲面形状を有する荷重子を用いてもよく、荷重子の重さに合わせて底面の大きさを変更してもよい。
【００７０】
次にステップＳ１２の工程として、マットレス情報処理装置２０によって、脚部重量Ｗｆと目標脚部沈み込み深さＴｆから、第３マットレスユニット３ｃの採用型番である第３採用型番αＵｆを決定する工程が行われる。第３採用型番αＵｆは、脚部沈み込み深さＤＰ３が目標脚部沈み込み深さＴｆに出来るだけ近くなるように決定される。
【００７１】
本実施形態においては、反発力特性が異なる１０種類の第３マットレスユニット３ｃが用意されており、それぞれに異なる型番が割り当てられている。より具体的には図１０に示すように、第３マットレスユニット３ｃの型番としてＵｆ１〜Ｕｆ１０の１０種類が設けられており、型番Ｕｆｘ（ｘは１〜１０の整数）のｘの値が大きいほど、その第３マットレスユニット３ｃは反発力が高くなっている。最も反発力の低い第３マットレスユニット３ｃには型番Ｕｆ１が割り当てられ、最も反発力の高い第３マットレスユニット３ｃには型番Ｕｆ１０が割り当てられている。
【００７２】
また図９Ｃは、脚部重量Ｗｆと目標脚部沈み込み深さＴｆの各値から、どの型番が第３採用型番αＵｆとして決定されるかを示すパターンを表している。このパターンによれば、各型番Ｕｆ１〜Ｕｆ１０のうち、脚部沈み込み深さＤＰ３が目標脚部沈み込み深さＴｆに最も近くなるもの（つまり、ユーザーにとって最適なもの）が、第３採用型番αＵｆとして決定されるようになっている。
【００７３】
例えば当該パターンによれば、脚部重量Ｗｆが９kgであって、目標脚部沈み込み深さＴｆが０．４５cmである場合は、図９Ｃに示すように、型番Ｕｆ５が第３採用型番αＵｆとして決定されることになる。そして、この第３採用型番αＵｆ（型番Ｕｆ５）の第３マットレスユニット３ｃを用いたマットレス１によれば、脚部重量Ｗｆが９kgであるユーザーに使用される場合に、脚部沈み込み深さＤＰ３を０．４５cm（当該ユーザーに応じた目標脚部沈み込み深さＴｆ）に出来るだけ近くすることが可能である。
【００７４】
図９Ｃに示すパターンは、各型番の第３マットレスユニット３ｃに荷重子を乗せて、荷重子の重さ（脚部重量Ｗｆに対応する）と沈み込み深さの関係を予め実験により調べ、この調べた結果に基づいて作成されている。荷重子の水平断面積によって荷重子の沈み込み深さが変化するので、当該実験に用いた荷重子は、縦８cmかつ横３０cmの長方形底面を有する直方体の荷重子に統一している。なお、幅広いユーザー体型に適合させるために、荷重子として、曲面形状を有する荷重子を用いてもよく、荷重子の重さに合わせて底面の大きさを変更してもよい。
【００７５】
図９Ａ〜９Ｃに示す各パターンの情報は、例えば採用型番決定プログラム３２の一部として予めマットレス情報処理装置２０に格納されており、当該情報を用いて、各採用型番αＵｓ、αＵｂ、αＵｆを決定することが可能である。次にステップＳ１３の工程として、マットレス情報処理装置２０によって、ステップＳ１０〜Ｓ１２において決定された第１〜第３採用型番αＵｓ、αＵｂ、αＵｆを表示する工程が行われる。
【００７６】
次にステップＳ１４の工程として、表示された第１〜第３採用型番αＵｓ、αＵｂ、αＵｆを利用してマットレス１を製造する工程が行われる。より具体的に説明すると、第１採用型番αＵｓの第１マットレスユニット３ａ、第２採用型番αＵｂの第２マットレスユニット３ｂ、および第３採用型番αＵｆの第３マットレスユニット３ｃを、それぞれマットレスカバー２の内側の所定位置（図１を参照）に配置して固定する工程が行われる。この配置および固定の作業は、全て作業員等によって行われても良く、一部又は全部が自動化されていても良い。その後、マットレスカバー２のファスナー４を閉じる工程が行われ、マットレス１が製造される。
【００７７】
次にステップＳ１５の工程として、マットレス情報処理装置２０によって、肩幅Ｄｓと頭幅Ｄｈから肩部側頭部間突出距離Ｖｓｈを算出する工程が行われる。ここで、肩部側頭部間突出距離Ｖｓｈは、横臥位での寝姿勢をとるユーザーにおける、側頭部の鉛直方向最下部の高さと肩部の鉛直方向最下部の高さとの差分に相当する。本実施形態においては、肩部側頭部間突出距離Ｖｓｈは、下記の第５式を用いて肩幅Ｄｓと頭幅Ｄｈから算出される。
Ｖｓｈ＝（Ｄｓ−Ｄｈ）／２    ・・・（第５式）
【００７８】
次にステップＳ１６の工程として、マットレス情報処理装置２０によって、肩部側頭部間突出距離Ｖｓｈと目標肩部沈み込み深さＴｓから横臥位用枕高さＰｈを算出する工程が行われる。ここで、横臥位用枕高さＰｈは、横臥位での寝姿勢をとるユーザーの側頭部と第１マットレスとの鉛直方向の距離に相当する。本実施形態においては、横臥位用枕高さＰｈは、下記の第６式を用いて、肩部側頭部間突出距離Ｖｓｈと目標肩部沈み込み深さＴｓから算出される。このように算出される横臥位用枕高さＰｈの値は、横臥位の寝姿勢をとるユーザーがマットレス１とともに使用する枕の高さとして良好な値であり、このような枕の製造に役立つ情報となる。
Ｐｈ＝Ｖｓｈ−Ｔｓ・・・（第６式）
【００７９】
次にステップＳ１７の工程として、マットレス情報処理装置２０によって、ユーザーＩＤ情報、第１〜第３採用型番（αＵｓ、αＵｂ、αＵｆ）、および横臥位用枕高さＰｈの各情報を、タグに印刷する工程が行われる。次にステップＳ１８の工程として、上記印刷済みのタグをマットレス１に取り付ける工程が行われる。この工程は、例えばマットレス情報処理装置２０によって自動的に行われるようにしても良く、人の手作業で行われるようにしても良い。
【００８０】
以上の一連の工程（ステップＳ１〜Ｓ１８）によって、マットレス１が製造される。その後、製造されたマットレス１を梱包し、ユーザーの住所へ発送することにより、ユーザーは自分の体型に合ったマットレス１を取得することができる。上述したマットレス１の製造方法によれば、ユーザーの体型に応じて各マットレスユニット３ａ〜３ｃの適切な採用型番が決定され、これに対応した各マットレスユニット３ａ〜３ｃを用いてマットレス１を製造することが出来る。そのため、体型が異なる各ユーザーに対して、横臥位の寝姿勢において体圧分散性を損なうことなく自然体に近い寝姿勢を与えることができるマットレスを製造することが可能である。また本製造方法によれば、所定の手順で決定された採用型番の各マットレスユニット３ａ〜３ｃを組合わせるだけで、ユーザーごとの体型の違いに対応することができ、ユーザーに適切なマットレス１を効率的に製造することが容易である。
【００８１】
先述したステップＳ１の処理に関し、測定される頭幅Ｄｈ、肩幅Ｄｓおよび臀幅Ｄｂについて、より詳細に説明する。図６は、ユーザーの直立姿勢を正面から見た図であって、頭幅Ｄｈ、肩幅Ｄｓおよび臀幅Ｄｂを示す概念図である。本実施形態において、頭幅Ｄｈは、直立姿勢におけるユーザーの両側頭部間の水平距離のことであり、肩幅Ｄｓは、直立姿勢におけるユーザーの両肩間の水平距離のことであり、臀幅Ｄｂは、直立姿勢におけるユーザーの臀部左右端の水平距離のことである。
【００８２】
横臥位での寝姿勢時における肩幅は、直立時の肩幅より狭くなる。そのため、横臥位での寝姿勢時の肩幅に近づけるために、平行な２枚の板を両肩に垂直に当接させ、２枚の板を１００Ｎ程度の力で肩幅を狭める（肩を窄める）ような姿勢で、肩幅Ｄｓを測定する方法が望ましい。
【００８３】
先述したステップＳ２の処理に関し、肩部重量Ｗｓは、ユーザーの全体重の内、寝姿勢において肩部にかかる重さのことを指し、臀部重量Ｗｂは、ユーザーの全体重の内、寝姿勢において臀部にかかる重さのことを指し、脚部重量Ｗｆは、ユーザーの全体重の内、寝姿勢においてふくらはぎや踵付近の脚部にかかる重さのことを指す。これらの各重量は、例えば図７に示すように４つの体重計１００〜１０３を用いて測定可能である。この例の場合は、寝姿勢をとるユーザーの肩部を支持する体重計１０１の測定値を肩部重量Ｗｓとし、当該ユーザーの臀部を支持する体重計１０２の測定値を臀部重量Ｗｂとし、当該ユーザーの脚部を支持する体重計１０３の測定値を脚部重量Ｗｆとすれば良い。
【００８４】
なお、本実施形態においては頭部の重量を考慮しないが、図７に示すように頭部を支持する体重計１００を設けることにより、頭部重量Ｗｈ（ユーザーの全体重の内、寝姿勢において頭部にかかる重さ）を測定することも可能である。この測定値は、例えば、当該ユーザーに適した枕の反発力を求めるために利用可能である。
【００８５】
以上に説明したとおり、本実施形態に係る情報処理システムによって行われる情報処理方法は、それぞれ反発力に応じて異なる型番が割り当てられた第１マットレスユニット３ａおよび第２マットレスユニット３ｂを用いて形成され、第１マットレスユニット３ａが、寝姿勢をとる人体の一部を第１部位（本実施形態では「肩部」に相当する）が最も沈み込んだ状態で支持し、第２マットレスユニット３ｂが、当該人体の他の一部を第２部位（本実施形態では「臀部」に相当する）が最も沈み込んだ状態で支持するマットレスに関し、ユーザーが使用するマットレスの形成に用いられる第１マットレスユニット３ａおよび第２マットレスユニット３ｂの前記型番それぞれを、採用型番として決定する情報処理方法となっている。
【００８６】
そしてこの情報処理方法は、前記ユーザーの第１部位と第２部位の鉛直方向位置の差を特定可能とする情報（本実施形態では「肩幅Ｄｓ」および「臀幅Ｄｂ」の情報に相当する）を含んだユーザー情報ＵＦを取得するユーザー情報取得ステップ（本実施形態では、ステップＳ１〜Ｓ３に相当する）と、ユーザー情報ＵＦにより特定される前記鉛直方向位置の差（本実施形態では「肩部臀部間突出距離Ｖｓｂ」に相当する）に基づいて、前記採用型番を決定する決定ステップ（本実施形態では、ステップＳ６〜Ｓ１２に相当する）と、を含む。当該情報処理方法によれば、第１部位と第２部位の鉛直方向位置の差を考慮して、例えばユーザーの寝姿勢が出来るだけ水平となるように採用型番を決定することが可能であり、肩幅などの体型が異なる各ユーザーに対して、寝姿勢において体圧分散性を損なうことなく自然体に近い寝姿勢を与えることができるマットレスを効率的に製造することが容易である。
【００８７】
なお本実施形態では、横臥位の寝姿勢をとるユーザーに対して自然体に近い寝姿勢を与えることが可能となるように配慮しているが、その他の寝姿勢（仰向けやうつ伏せの寝姿勢など）をとるユーザーに対して自然体に近い寝姿勢を与えることが可能となるようにしても良い。この場合、その寝姿勢に応じて第１部位と第２部位を適切に定義すれば良い。
また、前記ユーザーの第１部位と第２部位の鉛直方向位置の差を特定可能とする情報としては、本実施形態のような形態の他、例えばユーザーの写真や映像情報など、当該位置の差と関連性のある種々の情報が採用可能である。
【００８８】
また前記決定ステップは、前記ユーザーがマットレス１を使用する際の、第１マットレスユニット３ａにおける第１部位の沈み込み深さ（本実施形態では「肩部沈み込み深さＤＰ１」）の目標値である第１目標値（本実施形態では「目標肩部沈み込み深さＴｓ」に相当する）と、第２マットレスユニット３ｂにおける第２部位の沈み込み深さ（本実施形態では「臀部沈み込み深さＤＰ２」）の目標値である第２目標値（本実施形態では「目標臀部沈み込み深さＴｂ」に相当する）とを、これらの目標値の差が前記鉛直方向位置の差と一致するように設定するようになっている（先述の「第３式」等を参照）。更に前記決定ステップは、沈み込み深さＤＰ１が第１目標値に最も近くなると見込まれる第１マットレスユニット３ａの型番Ｕｓを、第１マットレスユニット３ａについての採用型番αＵｓに決定し、上記第２部位の沈み込み深さが第２目標値に最も近くなると見込まれる第２マットレスユニット３ｂの型番Ｕｂを、第２マットレスユニット３ｂについての採用型番αＵｂに決定する。そのため、寝姿勢において体圧分散性を損なわないように上記の各目標値を設定しつつ、寝姿勢が極力水平となるようにして自然体に近い寝姿勢を与えることが可能である。
【００８９】
また、前記ユーザー情報は、寝姿勢をとる前記ユーザーの第１部位の部分重量（本実施形態では「肩部重量Ｗｓ」）と第２部位の部分重量（本実施形態では「臀部重量Ｗｂ」）の情報を含み、前記決定ステップは、第１目標値と上記第１部位の部分重量とに基づいて採用型番αＵｓを決定し、第２目標値と上記第２部位の部分重量とに基づいて採用型番αＵｂを決定する。そのため、採用型番の決定過程においてユーザーの各部分重量を極力正確に反映させ、適切な採用型番をより精度良く決定することが可能である。なお処理の簡素化等のため、これらの部分重量の情報として、より簡易に求められた部分重量等を採用しても構わない。一例として、固定値ｘおよびｙを予め設定しておき、ユーザーの全体重（ユーザー情報ＵＦの一部として取得する）のｘ％を第１部位の部分重量とし、ｙ％を第２部位の部分重量としても良い。
【００９０】
なお上述した情報処理方法は、ユーザー情報入力装置１０とマットレス情報処理装置２０を含む情報処理システム（図４Ａ〜４Ｃを参照）によって実行される。また本実施形態に係るプログラムは、当該情報処理システムに当該情報処理方法を実行させるプログラムとなっている。
【００９１】
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００９２】
本発明は、マットレスの製造等に利用可能である。
【符号の説明】
【００９３】
１              マットレス
２              マットレスカバー
２ａ            上面側カバー
２ｂ            底面側カバー
３ａ            第１マットレスユニット
３ｂ            第２マットレスユニット
３ｃ            第３マットレスユニット
４              ファスナー
５ａ            インナーカバー
６ａ            フィラメント３次元結合体
７ａ            ファスナー
１０            ユーザー情報入力装置
２０            マットレス情報処理装置
１００〜１０３  体重計
Ｄｂ            臀幅
Ｄｈ            頭幅
Ｄｓ            肩幅
ＤＰ１          肩部沈み込み深さ
ＤＰ２          臀部沈み込み深さ
ＤＰ３          脚部沈み込み深さ
Ｔｂ            目標臀部沈み込み深さ
Ｔｆ            目標脚部沈み込み深さ
Ｔｓ            目標肩部沈み込み深さ
Ｖｓｈ          肩部側頭部間突出距離
Ｖｓｂ          肩部臀部間突出距離
Ｗｂ            臀部重量
Ｗｆ            脚部重量
Ｗｓ            肩部重量
Ｕｓ１〜Ｕｓ１０      第１マットレスユニットの型番
Ｕｂ１〜Ｕｂ１０      第２マットレスユニットの型番
Ｕｆ１〜Ｕｆ１０      第３マットレスユニットの型番
αＵｓ                第１マットレスユニットの採用型番
αＵｂ                第２マットレスユニットの採用型番
αＵｆ                第３マットレスユニットの採用型番
【図１】
2019025193.tif 000004
【図２】
2019025193.tif 000005
【図３】
2019025193.tif 000006
【図４Ａ】
2019025193.tif 000007
【図４Ｂ】
2019025193.tif 000008
【図４Ｃ】
2019025193.tif 000009
【図５】
2019025193.tif 000010
【図６】
2019025193.tif 000011
【図７】
2019025193.tif 000012
【図８】
2019025193.tif 000013
【図９Ａ】
2019025193.tif 000014
【図９Ｂ】
2019025193.tif 000015
【図９Ｃ】
2019025193.tif 000016
【図１０】
2019025193.tif 000017